(57)【要約】【課題】吸気口からエアフィルタが取り外されても、埃が吸気口を通過することを抑制することができるエアフィルタ装置、電子機器、及び投写型映像表示装置を提供する。【解決手段】エアフィルタ装置３は、吸気口１１に対して着脱可能に設けられるエアフィルタ３１と、エアフィルタ３１が吸気口１１から取り外されないようにエアフィルタ３１を係止することが可能な係止部材４０とを備える。係止部材４０は、エアフィルタ３１を係止する位置と、エアフィルタ３１が吸気口１１から取り外されることを許容する位置とに移動可能に構成されている。また、エアフィルタ装置３は、吸気口１１を開閉する開閉部材５０を備え、エアフィルタ３１を係止する位置に係止部材４０が移動したときに、開閉部材５０は吸気口１１を開放し、エアフィルタ３１が吸気口１１から取り外されることを許容する位置に係止部材４０が移動したときに、開閉部材５０は吸気口１１を閉鎖する。【選択図】図６
2012044002.tif 000002
【特許請求の範囲】
【請求項１】
吸気口が設けられた壁体と、前記吸気口に対して着脱可能に設けられるエアフィルタと、このエアフィルタが前記吸気口から取り外されないように前記エアフィルタを係止することが可能な係止部材とを備えるエアフィルタ装置であって、
前記係止部材が、前記エアフィルタを係止する位置と、前記エアフィルタを係止せずにこのエアフィルタが前記吸気口から取り外されることを許容する位置とに移動可能に構成され、
前記係止部材の移動に伴って前記吸気口を開閉する開閉部材を備え、
前記エアフィルタを係止する位置に前記係止部材が移動したときに、前記開閉部材は前記吸気口を開放し、
前記エアフィルタが前記吸気口から取り外されることを許容する位置に前記係止部材が移動したときに、前記開閉部材は前記吸気口を閉鎖する
ことを特徴とするエアフィルタ装置。
【請求項２】
前記開閉部材に前記係止部材が固定されていることを特徴とする請求項１に記載のエアフィルタ装置。
【請求項３】
前記エアフィルタは枠部材に設けられ、
前記係止部材は、前記枠部材に当接して前記エアフィルタを係止する係止部を有し、この係止部が前記枠部材を前記壁体に対して密着させる
ことを特徴とする請求項１または２に記載のエアフィルタ装置。
【請求項４】
前記吸気口が設けられた前記壁体には、前記係止部材の一部が差し込まれるとともに、前記係止部材の移動を許容する貫通孔が形成されていることを特徴とする請求項１〜３のいずれか一項に記載のエアフィルタ装置。
【請求項５】
前記開閉部材は、前記貫通孔を閉鎖する閉鎖部を有し、この閉鎖部は、前記エアフィルタを係止する位置に前記係止部材が設けられた状態と、前記エアフィルタが前記吸気口から取り外されることを許容する位置に前記係止部材が設けられた状態の双方の状態において、前記貫通孔を閉鎖することを特徴とする請求項４に記載のエアフィルタ装置。
【請求項６】
前記開閉部材が有する前記閉鎖部が、前記壁体に対して密着させられることを特徴とする請求項５に記載のエアフィルタ装置。
【請求項７】
前記開閉部材の位置を検出する位置検出部を備えることを特徴とする請求項１〜６のいずれか一項に記載のエアフィルタ装置。
【請求項８】
請求項１〜７のいずれか一項に記載のエアフィルタ装置を備えることを特徴とする電子機器。
【請求項９】
前記吸気口の態様に係る情報を報知する報知部を備えることを特徴とする請求項８に記載の電子機器。
【請求項１０】
前記報知部は、前記エアフィルタが前記吸気口から取り外されることを許容する位置に前記係止部材が設けられているときに、前記開閉部材が前記吸気口を閉鎖している旨を報知する
ことを特徴とする請求項９に記載の電子機器。
【請求項１１】
請求項１〜７のいずれか一項に記載のエアフィルタ装置と、映像表示用のランプと、前記吸気口の態様に基づいて前記ランプの点灯を制御する制御部とを備えることを特徴とする投写型映像表示装置。
【請求項１２】
前記制御部は、前記開閉部材の位置に基づいて前記吸気口の態様を判断することを特徴とする請求項１１に記載の投写型映像表示装置。
【発明の詳細な説明】
【技術分野】
【０００１】
本願発明は、吸気口に対して着脱可能に設けられるエアフィルタを備えたエアフィルタ装置、及びこれを備えた電子機器並びに投写型映像表示装置に関する。
【背景技術】
【０００２】
一般的に、投写型映像表示装置等の電子機器は、吸気口が設けられた壁体であって、内部に電子部品等を内蔵する筐体を備えている。筐体の外部の空気を、吸気口を通して筐体の内部へ吸入することによって、電子部品等を空冷することが可能である。
【０００３】
また、吸気口を通過しようとする空気中の埃を捕捉するために、吸気口に対してエアフィルタを設けることが知られている。また、エアフィルタを交換可能とするために、エアフィルタが着脱可能に設けられることが知られている（例えば、特許文献１参照）。
【先行技術文献】
【特許文献】
【０００４】
【特許文献１】特開２００９−５４６４３号公報
【発明の概要】
【発明が解決しようとする課題】
【０００５】
ところで、吸気口からエアフィルタを取り外して他のエアフィルタを吸気口に取り付けることによってエアフィルタを交換する際には、吸気口からエアフィルタが取り外されるため、エアフィルタによって捕捉すべき埃が吸気口を通過するおそれがある。
【０００６】
本発明は、こうした実情に鑑みてなされたものであり、その目的は、例えばエアフィルタの交換時において吸気口からエアフィルタが取り外されても、埃が吸気口を通過することを抑制することができるエアフィルタ装置、電子機器、及び投写型映像表示装置を提供することにある。
【課題を解決するための手段】
【０００７】
以下、上記目的を達成するための手段及びその作用効果について記載する。
請求項１に記載の発明は、吸気口が設けられた壁体と、前記吸気口に対して着脱可能に設けられるエアフィルタと、このエアフィルタが前記吸気口から取り外されないように前記エアフィルタを係止することが可能な係止部材とを備えるエアフィルタ装置であって、前記係止部材が、前記エアフィルタを係止する位置と、前記エアフィルタを係止せずにこのエアフィルタが前記吸気口から取り外されることを許容する位置とに移動可能に構成され、前記係止部材の移動に伴って前記吸気口を開閉する開閉部材を備え、前記エアフィルタを係止する位置に前記係止部材が移動したときに、前記開閉部材は前記吸気口を開放し、前記エアフィルタが前記吸気口から取り外されることを許容する位置に前記係止部材が移動したときに、前記開閉部材は前記吸気口を閉鎖することを特徴とする。
【０００８】
上記構成によれば、係止部材が、エアフィルタを係止する位置と、エアフィルタが吸気口から取り外されることを許容する位置とに移動可能に構成されている。このため、吸気口に対して装着されたエアフィルタは、例えば、その使用時には吸気口から取り外されないように係止部材によって係止することができ、その交換時には係止部材を移動させて吸気口からエアフィルタを取り外すことができる。また、エアフィルタを係止する位置に係止部材が移動したときに、開閉部材は吸気口を開放し、エアフィルタが吸気口から取り外されることを許容する位置に係止部材が移動したときに、開閉部材は吸気口を閉鎖する。このため、例えばエアフィルタの交換時において吸気口からエアフィルタが取り外されても、吸気口が開閉部材により閉鎖されているため、埃が吸気口を通過することを抑制することができる。
【０００９】
請求項２に記載の発明は、請求項１に記載のエアフィルタ装置であって、前記開閉部材に前記係止部材が固定されていることを特徴とする。
上記構成によれば、開閉部材に係止部材が固定されているため、係止部材の移動に伴って吸気口が機械的に開閉される。
【００１０】
請求項３に記載の発明は、請求項１または２に記載のエアフィルタ装置であって、前記エアフィルタは枠部材に設けられ、前記係止部材は、前記枠部材に当接して前記エアフィルタを係止する係止部を有し、この係止部が前記枠部材を前記壁体に対して密着させることを特徴とする。
【００１１】
上記構成によれば、エアフィルタが係止されている状態において、エアフィルタが設けられた枠部材に当接する係止部が、枠部材を壁体に対して密着させる。このため、エアフィルタが設けられた枠部材と壁体との間に隙間が形成されないようにして、埃が吸気口を通過しないようにすることができる。
【００１２】
請求項４に記載の発明は、請求項１〜３のいずれか一項に記載のエアフィルタ装置であって、前記吸気口が設けられた前記壁体には、前記係止部材の一部が差し込まれるとともに、前記係止部材の移動を許容する貫通孔が形成されていることを特徴とする。
【００１３】
上記構成によれば、壁体には、係止部材の一部が挿通されるとともに、係止部材の移動を許容する貫通孔が形成されている。このため、例えば壁体の一方側に設けられた開閉部材に係止部材が固定される場合であっても、壁体に形成された貫通孔に係止部材の一部を挿通させて、壁体の他方側に係止部を設けることができる。
【００１４】
請求項５に記載の発明は、請求項４に記載のエアフィルタ装置であって、前記開閉部材は、前記貫通孔を閉鎖する閉鎖部を有し、この閉鎖部は、前記エアフィルタを係止する位置に前記係止部材が設けられた状態と、前記エアフィルタが前記吸気口から取り外されることを許容する位置に前記係止部材が設けられた状態の双方の状態において、前記貫通孔を閉鎖することを特徴とする。
【００１５】
上記構成によれば、壁体に形成された貫通孔が、エアフィルタを係止する位置に係止部材が設けられた状態と、エアフィルタが吸気口から取り外されることを許容する位置に係止部材が設けられた状態との双方の状態において、開閉部材が有する閉鎖部によって閉鎖される。このため、埃が、係止部材の一部が挿通される貫通孔を通過することを抑制することができる。
【００１６】
請求項６に記載の発明は、請求項５に記載のエアフィルタ装置であって、前記開閉部材が有する前記閉鎖部が、前記壁体に対して密着させられることを特徴とする。
上記構成によれば、貫通孔を閉鎖する開閉部材の閉鎖部が、壁体に対して密着させられる。このため、貫通孔が形成された壁体と開閉部材との間に隙間が形成されないようにして、埃が貫通孔を通過しないようにすることができる。
【００１７】
請求項７に記載の発明は、請求項１〜６のいずれか一項に記載のエアフィルタ装置であって、前記開閉部材の位置を検出する位置検出部を備えることを特徴とする。
上記構成によれば、エアフィルタ装置は、開閉部材の位置を検出する位置検出部を備える。このため、検出された開閉部材の位置を、例えばエアフィルタ装置が内蔵された電子機器の制御等に利用することが可能である。
【００１８】
請求項８に記載の発明は、請求項１〜７のいずれか一項に記載のエアフィルタ装置を備えることを特徴とする。
上記構成によれば、請求項１〜７のいずれか一項に記載のエアフィルタ装置を備えるため、請求項１〜７のいずれか一項に記載の発明と同様の効果を得ることができる。
【００１９】
請求項９に記載の発明は、請求項８に記載の電子機器であって、前記吸気口の態様に係る情報を報知する報知部を備えることを特徴とする。
上記構成によれば、電子機器は吸気口の態様に係る情報を報知する報知部を備えるため、報知部による報知に基づいて、吸気口が開放されているか否かをユーザが把握することができる。
【００２０】
請求項１０に記載の発明は、請求項９に記載の電子機器であって、前記報知部は、前記エアフィルタが前記吸気口から取り外されることを許容する位置に前記係止部材が設けられているときに、前記開閉部材が前記吸気口を閉鎖している旨を報知することを特徴とする。
【００２１】
上記構成によれば、エアフィルタが吸気口から取り外されることを許容する位置に係止部材が設けられているときに、開閉部材が吸気口を閉鎖している旨が報知部によって報知される。このため、係止部材がエアフィルタを係止する位置に移動されておらず、開閉部材が吸気口を閉鎖している旨がユーザに積極的に報知される。
【００２２】
請求項１１に記載の発明は、請求項１〜７のいずれか一項に記載のエアフィルタ装置と、映像表示用のランプと、前記吸気口の態様に基づいて前記ランプの点灯を制御する制御部とを備えることを特徴とする。
【００２３】
上記構成によれば、吸気口の態様に基づいてランプの点灯が制御される。このため、例えば、吸気口が閉鎖されている場合には、ランプを点灯させないように制御することが可能となる。
【００２４】
請求項１２に記載の発明は、請求項１１に記載の投写型映像表示装置であって、前記制御部は、前記開閉部材の位置に基づいて前記吸気口の態様を判断することを特徴とする。
上記構成によれば、開閉部材の位置に基づいて吸気口の態様が判断される。このため、開閉部材の位置を検出するとともに、検出された開閉部材の位置に基づいて、ランプの点灯が制御される。
【発明の効果】
【００２５】
本発明によれば、例えばエアフィルタの交換時において吸気口からエアフィルタが取り外されても、埃が吸気口を通過することを抑制することができる。
【図面の簡単な説明】
【００２６】
【図１】（ａ）（ｂ）本発明の一実施形態に係る電子機器である投写型映像表示装置を示す斜視図。
【図２】同実施形態に係る投写型映像表示装置が備えるエアフィルタ装置の外観を示す外観図。
【図３】同実施形態に係る投写型映像表示装置が備えるエアフィルタ装置の断面を示す断面図。
【図４】同実施形態に係る投写型映像表示装置の筐体であって、エアフィルタ装置が備える壁体を示す断面斜視図。
【図５】同実施形態に係るエアフィルタ装置が備える係止部材及び開閉部材を示す斜視図。
【図６】同実施形態に係るエアフィルタ装置において、開閉部材が吸気口を開放している状態を示す図であって、（ａ）は筐体の断面図、（ｂ）筐体の外側から見た外観図。
【図７】同実施形態に係るエアフィルタ装置において、開閉部材が吸気口を閉鎖している状態を示す図であって、（ａ）は筐体の断面図、（ｂ）筐体の外側から見た外観図。
【図８】同実施形態に係る投写型映像表示装置の概略構成を示す構成図。
【図９】同実施形態に係る投写型映像表示装置の動作を説明するためのフローチャート。
【図１０】同実施形態に係る投写型映像表示装置の動作を説明するためのフローチャート。
【発明を実施するための形態】
【００２７】
以下、本発明を具体化した一実施形態について図面を参照しながら説明する。
図１に示すように、電子機器であるプロジェクタ１は、電子部品や光学部品を内蔵する筐体１０を備えている。プロジェクタ１は、投射レンズ６３を用いてスクリーンや壁等の平面上に映像を投写して表示する投写型映像表示装置である。
【００２８】
図１（ａ）及び（ｂ）に示すように、筐体１０には、多数の通風孔２１が形成されたカバー２０が設けられる。このカバー２０は筐体１０に対して着脱可能である。図１（ａ）は、カバー２０が筐体１０に取り付けられた状態を示す斜視図であって、図１（ｂ）は、カバー２０が筐体１０から取り外された状態を示す斜視図である。カバー２０が筐体１０に取り付けられることによって、エアフィルタ３１（図１（ｂ）参照）がカバー２０により保護され、カバー２０が筐体１０から外されることにより、必要に応じてエアフィルタ３１を交換することが可能となる。
【００２９】
プロジェクタ１は、筐体１０やエアフィルタ３１等により構成されるエアフィルタ装置３を備え、エアフィルタ３１を容易に交換できるように構成されている。以下、図２及び図３等を参照しながら、エアフィルタ装置３の構成を説明する。以下の説明において、左右方向及び上下方向は、図中の矢印を用いて示す方向である。なお、上下方向は、左右方向に垂直な方向であって、重力方向（即ち、鉛直方向）に限定されない。また、図３は、図２のＡ−Ａ線に沿って筐体１０のみを断面図示した断面図である。
【００３０】
図２及び図３に示すように、エアフィルタ装置３は、吸気口１１が設けられた壁体としての筐体１０と、吸気口１１に対して着脱可能に設けられるエアフィルタ３１と、エアフィルタ３１が吸気口１１から取り外されないようにエアフィルタ３１を係止することが可能な係止部材４０とを備えている。また、図３に示すように、エアフィルタ装置３は、吸気口１１（図２参照）を開放及び閉鎖する開閉部材５０と、開閉部材５０の位置を検出する位置検出部３４とをさらに備えている。
【００３１】
筐体１０は、例えば合成樹脂により形成された壁体である。図４は、筐体１０を構成する上側壁体１０ｂ（図６（ａ）参照）を図示せずに、筐体１０の一部を断面として図示した筐体１０の断面斜視図である。図２及び図４に示すように、筐体１０には、複数の吸気口１１が設けられている。筐体１０の外部の空気を、吸気口１１を通して筐体１０の内部へ吸入することが可能である。本実施形態においては、筐体１０の上側のみに吸気口１１が設けられている。
【００３２】
また、筐体１０には、係止部材４０の一部が差し込まれる貫通孔１２が形成されている。貫通孔１２は、この貫通孔１２に差し込まれた係止部材４０の上下方向における移動を許容するように、上下方向に延びて設けられている。貫通孔１２は、筐体１０に取り付けられたエアフィルタ３１と重ならないように設けられている。本実施形態においては、２つの貫通孔１２が、吸気口１１に取り付けられたエアフィルタ３１の左右方向における寸法と略同じ長さの間隔を空けて、平行に設けられている。
【００３３】
また、図４等に示すように、筐体１０には、筐体１０の外部方向である外方に向けて突出した突出部１３が設けられている。突出部１３は、筐体１０が有する外側表面であって吸気口１１が形成された吸気口形成面１１ａから、突出している突出部位である。本実施形態においては、枠部材３２（図２参照）と同じ大きさの四角枠形状の突出部位が形成されるように、上下方向において間隔を空けて平行に設けられるとともに、左右方向において延びて設けられた突出部１３と、左右方向において間隔を空けて平行に設けられるとともに、上下方向において延びて設けられた突出部１３とが設けられている。
【００３４】
また、筐体１０の内部において、筐体１０には、筐体１０の内側に設けられた開閉部材５０の上下方向の移動を案内する案内部１４，１５が設けられている。案内部１４は、左右方向における開閉部材５０の端部に当接して、開閉部材５０の移動をガイドする。また、案内部１５は、開閉部材５０が有する係合部５３（図３等参照）に当接して、開閉部材５０の移動をガイドする。
【００３５】
案内部１４は、筐体１０の内部方向である内方に向けて突出するとともに、開閉部材５０の一部であって開閉部材５０の左右方向における端部を構成する閉鎖部５２（図３等参照）を介して、筐体１０の内側表面と対向するように屈曲している。本実施形態においては、２つの案内部１４が、開閉部材５０の左右方向における寸法と略同じ長さの間隔を空けて、上下方向に延びるように設けられている。このようにして、本実施形態に係る案内部１４は、左右方向における開閉部材５０の両端に当接して、開閉部材５０の移動をガイドする構成となっている。
【００３６】
案内部１５は、平板形状を有するとともに、筐体１０を構成する下側壁体１０ａ（図６（ａ）参照）から、上方に向けて延びている。本実施形態においては、３つの案内部１５が、左右方向において略等間隔に設けられている。このようにして、本実施形態においては、案内部１４，１５が開閉部材５０の移動を確実にガイドする構成となっている。
【００３７】
エアフィルタ３１は、多孔質体等の通気性を有する濾材である。本実施形態においては、エアフィルタ３１は、複数の吸気口１１を覆うための十分な大きさの四角形状を有するとともに、四角枠形状の枠部材３２内に設けられている。
【００３８】
枠部材３２は、エアフィルタ３１を支持する支持枠であって、例えば合成樹脂により形成されている。枠部材３２は、筐体１０の外側表面に当接するように設けられる。また、係止部材４０によりエアフィルタ３１が係止されるときには、係止部材４０が有する係止部４２と筐体１０とにより挟まれる。本実施形態においては、左右方向における枠部材３２の両端には、枠部材３２の外周が凹んだ凹部３２ａが形成されている。凹部３２ａは、係止部材４０が有する係止部４２が嵌合可能な係止部嵌合部である。本実施形態においては、枠部材３２の左側端部には右方に凹んだ凹部３２ａが形成され、枠部材３２の右側端部には左方に凹んだ凹部３２ａが形成されている。
【００３９】
係止部材４０は、例えば合成樹脂により形成され、エアフィルタ３１が吸気口１１から外れないようにエアフィルタ３１を係止する位置と、エアフィルタ３１を係止せずにエアフィルタ３１が吸気口１１から取り外されることを許容する位置とに移動可能に構成されている。図５は、図２及び図３において図示されている筐体１０を図示しない係止部材４０及び開閉部材５０の斜視図である。
【００４０】
図３及び図５に示すように、係止部材４０は、貫通孔１２に差し込まれるように筐体１０の外部から内部に亘って延びて設けられる延設部４１と、エアフィルタ３１が設けられた枠部材３２に当接することによりエアフィルタ３１を係止する係止部４２とを有している。
【００４１】
延設部４１は、貫通孔１２に差し込まれる係止部材４０の一部である。本実施形態においては、貫通孔１２に差し込まれた延設部４１は、さらに、開閉部材５０に差し込まれ、固定部材３３を用いて開閉部材５０から延設部４１が抜けないように構成されている。このようにして、本実施形態においては、固定部材３３によって開閉部材５０に係止部材４０が固定されて設けられている。また、本実施形態においては、係止部材４０が、左右方向における開閉部材５０の両端部に設けられている。
【００４２】
係止部４２は、吸気口１１に取り付けられたエアフィルタ３１の枠部材３２と対向するように、延設部４１から左右方向において突出している。即ち、本実施形態においては、開閉部材５０の左側端部に設けられた係止部材４０が有する係止部４２は、延設部４１から右方に向けて突出するとともに、開閉部材５０の右側端部に設けられた係止部材４０が有する係止部４２は、延設部４１から左方に向けて突出している。
【００４３】
図３及び図５に示す開閉部材５０は、例えば合成樹脂により形成され、係止部材４０とともに上下方向に移動して、係止部材４０の移動に伴って吸気口１１を開閉する。開閉部材５０は、吸気口１１を開閉する開閉部５１と、貫通孔１２を閉鎖する閉鎖部５２と、案内部１５と係合する係合部５３とを有している。
【００４４】
開閉部５１は、左右方向に延びた平板である。開閉部５１は、筐体１０の内側において、筐体１０と案内部１５との間に設けられる。開閉部材５０の開閉部５１によって吸気口１１が開放及び閉鎖される。
【００４５】
左右方向における開閉部５１の端部に接続されて設けられている閉鎖部５２は、上下方向に延びた平板である。左右方向における開閉部材５０の端部を構成する閉鎖部５２は、筐体１０の内側において、筐体１０と案内部１４との間に設けられる。本実施形態においては、左右方向において開閉部５１の両端部に、閉鎖部５２が設けられている。閉鎖部５２は、上下方向に延びた貫通孔１２が確実に閉鎖されるように、開閉部５１に比べて上下方向に長い寸法を有している。
【００４６】
係合部５３は、開閉部５１から案内部１５に向けて突出した平板形状を有している。本実施形態においては、各案内部１５に向けて突出した３つの係合部５３が開閉部５１に設けられ、係合部５３の各々は、左右方向において１つの案内部１５を挟むように形成された一対の突出片により構成されている。
【００４７】
図６及び図７を参照しながら、係止部材４０及び開閉部材５０の移動に伴う、吸気口１１の態様の変化等を説明する。図６（ａ）及び（ｂ）は、エアフィルタ３１を係止する位置に係止部材４０が設けられたときのエアフィルタ装置３の態様を示す図であって、図７（ａ）及び（ｂ）は、エアフィルタ３１が吸気口１１から取り外されることを許容する位置に係止部材４０が設けられたときのエアフィルタ装置３の態様を示す図である。また、図６（ａ）及び図７（ａ）は、それぞれ、図６（ｂ）及び図７（ｂ）のＢ−Ｂ線に沿って筐体１０のみを断面図示した断面図である。
【００４８】
なお、係止部材４０及び開閉部材５０は、筐体１０の外部に設けられた延設部４１または係止部４２を手動で操作することにより移動させることが可能であるが、駆動機構（図示略）を設けて係止部材４０及び開閉部材５０を移動させる構成としてもよい。
【００４９】
図６及び図７に示すように、筐体１０に対して係止部材４０及び開閉部材５０は上下方向に移動する。吸気口１１にエアフィルタ３１が取り付けられている状態においては、係止部材４０は枠部材３２と接触しながらスライドするとともに、開閉部材５０は筐体１０と接触しながらスライドする。
【００５０】
図６（ａ）及び（ｂ）に示すように、図７（ａ）及び（ｂ）に示す係止部材４０及び開閉部材５０が下方に移動することによって、エアフィルタ３１を係止する位置に係止部材４０が移動する。このとき、筐体１０の内側において、開閉部材５０の開閉部５１及び閉鎖部５２が、筐体１０の内側表面に密着している。そして、筐体１０の外側において、係止部４２は、枠部材３２に当接して、筐体１０の外側表面を構成する突出部１３に対して枠部材３２を密着させる。このようにして、係止部材４０の係止部４２と筐体１０とにより枠部材３２の移動が規制され、エアフィルタ３１及び枠部材３２の、筐体１０の外方への移動が規制されることによって、吸気口１１にエアフィルタ３１が取り付けられた状態が維持される。
【００５１】
そして、エアフィルタ３１を係止する位置に係止部材４０が移動したときには、図６（ｂ）に示すように、開閉部材５０の開閉部５１は、上下方向において吸気口１１に比べて下方に設けられる。即ち、このとき、開閉部材５０は吸気口１１を開放する状態となる。
【００５２】
図７（ａ）及び（ｂ）に示すように、図６（ａ）及び（ｂ）に示す係止部材４０及び開閉部材５０が上方に移動することによって、エアフィルタ３１が吸気口１１から取り外されることを許容する位置に係止部材４０が移動する。このとき、筐体１０の外側において、係止部４２は、枠部材３２に当接しない位置であって、枠部材３２の凹部３２ａと重なる位置に設けられる。このようにして、係止部材４０の係止部４２による枠部材３２の移動の規制が解除され、エアフィルタ３１及び枠部材３２の、筐体１０の外方への移動の規制が解除されることによって、吸気口１１からエアフィルタ３１を取り外すことが可能となる。
【００５３】
なお、本実施形態においては、エアフィルタ３１が吸気口１１から取り外されることを許容する位置に係止部材４０が移動したときも、筐体１０の内側において、開閉部材５０の開閉部５１及び閉鎖部５２が、筐体１０の内側表面に密着している。このため、吸気口１１からエアフィルタ３１が取り外されたときでも、開閉部材５０と筐体１０との摩擦により、係止部材４０及び開閉部材５０が重力によって下方に移動することを抑制するように構成されている。
【００５４】
そして、エアフィルタ３１が吸気口１１から取り外されることを許容する位置に係止部材４０が移動したときには、図７（ｂ）に示すように、開閉部材５０の開閉部５１は吸気口１１を覆う。即ち、このとき、開閉部材５０は吸気口１１を閉鎖する状態となる。
【００５５】
なお、エアフィルタ３１が吸気口１１から取り外されることを許容する位置は、エアフィルタ３１が吸気口１１に取り付けられることを許容する位置でもある。即ち、図７（ａ）及び（ｂ）に示す位置に係止部材４０が設けられているときに、エアフィルタ３１を交換することが可能である。
【００５６】
また、係止部材４０の位置に応じて開閉部５１は吸気口１１を開閉するが、本実施形態においては、図６（ｂ）及び図７（ｂ）に示すように、係止部材４０の位置に係わらず閉鎖部５２は貫通孔１２を閉鎖する。即ち、エアフィルタ３１を係止する位置に係止部材４０が設けられた状態と、エアフィルタ３１が吸気口１１から取り外されることを許容する位置に係止部材４０が設けられた状態の双方の状態において、閉鎖部５２は貫通孔１２を閉鎖する。
【００５７】
また、本実施形態においては、筐体１０の内側に、閉鎖部５２の位置に基づいて、開閉部材５０の位置を検出する位置検出部３４が設けられている。位置検出部３４は、例えば押しボタンスイッチ等の位置検出センサにより構成されている。
【００５８】
開閉部材５０は係止部材４０とともに移動するため、開閉部材５０の位置を検出することにより係止部材４０の位置も検出することができる。位置検出部３４は、開閉部材５０の位置検出結果に係る情報を、プロジェクタ１が備える制御部７３（図８参照）に電気信号として出力する。
【００５９】
本実施形態においては、エアフィルタ装置３が備える位置検出部３４によって検出された開閉部材５０の位置が、プロジェクタ１の制御に利用され、プロジェクタ１が備える制御部７３は、吸気口１１の態様に基づいてランプ６１の点灯を制御する。以下、図８を参照しながら、プロジェクタ１の制御に係る構成を説明する。
【００６０】
図８に示すように、プロジェクタ１は、映像を表示するための光学部品として、映像表示用の光源であるランプ６１と、ランプ６１が発した光を用いて映像を生成する映像生成部６２と、生成された映像の光を投射する投射レンズ６３とを備えている。
【００６１】
超高圧水銀ランプやメタルハライドランプ等の放電ランプにより構成されるランプ６１は、プロジェクタ１が備えるランプ電源部７１からの電力供給に基づいて光を発する。ランプ６１が発する光は、映像生成部６２に入射する。
【００６２】
映像生成部６２は、例えば、ドットマトリクス型のライトバルブである液晶パネルや、微小鏡を格子状に配列したＤＭＤ（Digital Micromirror Device）を備えた電気光学装置により構成されている。映像生成部６２には映像信号が入力され、この映像信号に基づいて液晶パネルやＤＭＤが駆動される。そして、ランプ６１から映像生成部６２に入射した光が、液晶パネルを透過したり、ＤＭＤで反射されたりすることによって、映像信号に基づいた映像が生成される。
【００６３】
投射レンズ６３は、映像生成部６２により生成された映像の光を投射するレンズ群を備えたレンズ装置である。従って、映像の光が投射レンズ６３からプロジェクタ１の外部に向けて投射されることにより、プロジェクタ１はスクリーンや壁等の平面上に映像を表示する。
【００６４】
また、プロジェクタ１は、電気信号である映像信号に基づいて映像を生成するための構成として、プロジェクタ１の外部から映像信号が入力される映像信号入力部６４と、映像信号に対して信号処理を施す映像信号処理部６５とを備えている。
【００６５】
プロジェクタ１には、映像ケーブル（不図示）が接続される映像信号入力端子により構成された映像信号入力部６４を介して、ＰＣ（Personal Computer）や映像再生装置等の外部機器から映像信号が入力される。そして、プロジェクタ１に入力された映像信号に対して、映像信号処理部６５でスケーリング処理等の信号処理が施されて、信号処理が施された映像信号が、映像生成部６２に入力される。なお、映像信号入力部６４が、無線により送信された映像信号を受信する無線モジュールであってもよい。
【００６６】
また、プロジェクタ１は、筐体１０の外部の空気を、吸気口１１を通して筐体１０の内部に吸入する吸気ファン６６と、ランプ６１の近傍に設けられた温度検出部６７とを備えている。
【００６７】
吸気ファン６６は、ランプ６１、映像生成部６２、ランプ電源部７１等の高温となる部品を冷却するための空気を、エアフィルタ３１及び吸気口１１を通して筐体１０内に吸入するとともに、筐体１０内に吸入した空気を高温となるランプ６１等に送風する送風機である。
【００６８】
温度検出部６７は、高温となるランプ６１を監視するための温度センサによって構成されている。温度検出部６７は、ランプ６１の温度が所定以上の温度になると、異常温度を検出する。即ち、温度検出部６７はランプ６１の温度を検出する。温度検出部６７は、ランプ６１の温度検出結果に係る情報（即ち、異常温度を検出したか否かに係る情報）を、プロジェクタ１が備える制御部７３に電気信号として出力する。
【００６９】
また、プロジェクタ１は、ランプ６１用の電源回路を備えるランプ電源部７１と、各部へ電力を供給する電源部７２と、各部を制御する制御部７３と、情報を記憶する記憶部７４と、ユーザにより操作される操作部７５と、ユーザに対して吸気口１１の態様に係る情報等を報知する報知部７６とを備えている。
【００７０】
ランプ電源部７１は、ランプ６１を点灯させるための回路を備えた点灯装置により構成されている。ランプ電源部７１は、例えば、負荷である放電ランプのインピーダンス（即ち、負荷インピーダンス）が変化した場合であっても安定した電力を供給するためのランプバラスト回路（図示略）、放電ランプの電極間の絶縁破壊を発生させるためのイグナイタ回路（図示略）等を備えている。ランプ電源部７１は、ランプ６１を点灯させる制御信号が制御部７３から入力されたときには、電源部７２からランプ電源部７１に供給された電力を、ランプ６１の点灯に必要な電力に変換してランプ６１に供給する。また、ランプ電源部７１は、ランプ６１を消灯させる制御信号が制御部７３から入力されたときには、ランプ６１への電力供給を停止する。
【００７１】
電源部７２は、外部電源（図示略）からプロジェクタ１に入力された電力を適宜変換して、プロジェクタ１内の電気回路に電力を供給する電源ユニットにより構成されている。電源部７２は、例えば、外部電源から得た交流電力を直流電力に変換して、ランプ電源部７１、制御部７３、映像信号処理部６５、映像生成部６２等に直流電力を供給する。
【００７２】
制御部７３は、映像信号処理部６５の制御、吸気ファン６６の制御、ランプ電源部７１を介したランプ６１の制御等を行う集積回路により構成されている。制御部７３は、ランプ６１を制御する制御信号、即ち、ランプ６１を点灯または消灯させる制御信号をランプ電源部７１に出力する。また、制御部７３は、ランプ６１を冷却するために吸気ファン６６を駆動させる制御信号を吸気ファン６６に出力する。
【００７３】
さらに、制御部７３は、吸気口１１が開放されているか否かを判断して、吸気口１１が開放されていないと判断されたとき（即ち、吸気口１１が閉鎖されていると判断されたとき）には、報知部７６を動作させる制御信号を報知部７６に出力する。吸気口１１が開放されているか否かの判断は、位置検出部３４から入力される開閉部材５０の位置検出結果に係る情報に基づいて判断することができる。即ち、制御部７３は、開閉部材５０の位置に基づいて吸気口１１の態様を判断する。
【００７４】
また、制御部７３は、ランプ６１の温度が所定以上となったか否か、即ちランプ６１の温度として異常温度が検出されたか否かを判断して、異常温度が検出されたと判断されたときには、報知部７６を動作させる制御信号を報知部７６に出力する。ランプ６１の温度として異常温度が検出されたか否かの判断は、温度検出部６７から入力されるランプ６１の温度検出結果に係る情報に基づいて判断することができる。
【００７５】
記憶部７４は、情報を記憶するメモリによって構成され、記憶部７４には、制御部７３が実行するプログラム等の情報が記憶されている。
操作部７５は、プロジェクタ１のユーザによって操作されるキー等のユーザインタフェースにより構成されている。ユーザは、操作部７５を操作することによって、制御部７３に種々の指示を行うことができる。
【００７６】
報知部７６は、ＬＥＤ（Light Emitting Diode）やスピーカ等により構成されている。報知部７６を動作させる制御信号が制御部７３から報知部７６に入力されると、報知部７６は、発光したり音声を出力したりすることによって、種々の情報をユーザに報知する。本実施形態においては、報知部７６は、エアフィルタ３１が吸気口１１から取り外されることを許容する位置に係止部材４０が設けられているときに、開閉部材５０が吸気口１１を閉鎖している旨を報知し、さらに、ランプ６１の温度が所定以上となったとき、ランプ６１の温度が異常温度となった旨を報知する。なお、開閉部材５０が吸気口１１を閉鎖している旨の報知と、ランプ６１の温度が異常温度となった旨の報知とは、例えば、報知部７６の発光態様や、報知部７６の音声出力態様によって区別することができる。
【００７７】
図９を参照しながら、ランプ６１の点灯が開始されるときのプロジェクタ１の動作を説明する。
まず、制御部７３は、位置検出部３４によって検出された開閉部材５０の位置に基づいて、吸気口１１が開放されているか否かを判断する（ステップＳ１）。
【００７８】
吸気口１１が開放されているとステップＳ１において判断された場合には、制御部７３が、ランプ６１を点灯させる制御信号をランプ電源部７１に出力することにより、プロジェクタ１はランプ６１の点灯を開始する（ステップＳ２）。
【００７９】
一方、吸気口１１が開放されていないとステップＳ１において判断された場合には、制御部７３が報知部７６を動作させる制御信号を報知部７６に出力することにより、プロジェクタ１の報知部７６が、吸気口１１が開いていない旨を報知する（ステップＳ３）。
【００８０】
そして、吸気口１１が開放されていないとステップＳ１において判断された場合には、ランプ６１を点灯させる制御信号がランプ電源部７１に出力されずに、プロジェクタ１はランプ６１の不点灯状態を維持する（ステップＳ４）。
【００８１】
以上のようにして、ランプ６１の点灯を開始しようとするときに、開閉部材５０によって吸気口１１が閉鎖されている場合にはランプ６１が点灯されない。このため、吸気口１１が閉鎖されていることによってランプ６１が異常温度となることを防止することができる。
【００８２】
次に、図１０を参照しながら、ランプ６１が点灯しているときのプロジェクタ１の動作を説明する。なお、図１０に示す一連の動作は周期的に繰り返される。
まず、制御部７３は、ステップＳ１と同様に、吸気口１１が開放されているか否かを判断する（ステップＳ１１）。
【００８３】
吸気口１１が開放されていないとステップＳ１１において判断された場合には、ステップＳ３と同様に、プロジェクタ１の報知部７６は、吸気口１１が開いていない旨を報知する（ステップＳ１２）。
【００８４】
次いで、制御部７３は、温度検出部６７を用いて異常温度が検出されたか否かを判断する（ステップＳ１３）。
異常温度が検出されていないとステップＳ１３において判断された場合には、ランプ６１を消灯させる制御信号がランプ電源部７１に出力されず、プロジェクタ１はランプ６１の点灯状態を維持する（ステップＳ１４）。
【００８５】
従って、本実施形態においては、ランプ６１が点灯しているときには、吸気口１１が閉鎖された場合であっても、異常温度が検出されなければ、ランプ６１が点灯し続けるため、映像を表示し続けることができる。
【００８６】
一方、異常温度が検出されたとステップＳ１３において判断された場合には、制御部７３が、ランプ６１を消灯させる制御信号をランプ電源部７１に出力することにより、プロジェクタ１は、ランプ６１を消灯してランプ６１の点灯を終了する（ステップＳ１５）。
【００８７】
そして、異常温度が検出されたとステップＳ１３において判断された場合には、制御部７３が報知部７６を動作させる制御信号を報知部７６に出力することにより、プロジェクタ１の報知部７６が、ランプ６１の温度が異常温度となった旨を報知する（ステップＳ１６）。
【００８８】
以上のようにして、異常温度が検出されるとランプ６１が消灯されるため、ランプ６１の寿命が低下することを抑制することができ、また、ランプ６１の温度が異常温度となった旨が報知されるため、ユーザはランプ６１の消灯原因を把握することが可能となる。
【００８９】
本実施形態によれば、以下の効果を得ることができる。
（１）係止部材４０が、エアフィルタ３１を係止する位置と、エアフィルタ３１を係止せずにエアフィルタ３１が吸気口１１から取り外されることを許容する位置とに移動可能に構成されている。このため、吸気口１１に対して装着されたエアフィルタ３１は、例えば、その使用時には吸気口１１から取り外されないように係止部４０材によって係止することができ、その交換時には係止部材４０を移動させて吸気口１１からエアフィルタ３１を取り外すことができる。そして、プロジェクタ１は、係止部材４０の移動に伴って吸気口１１を開閉する開閉部材５０を備え、エアフィルタ３１を係止する位置に係止部材４０が移動したときに、開閉部材５０は吸気口１１を開放し、エアフィルタ３１が吸気口１１から取り外されることを許容する位置に係止部材４０が移動したときに、開閉部材５０は吸気口１１を閉鎖する。このため、例えばエアフィルタ３１の交換時において吸気口１１からエアフィルタ３１が取り外されても、吸気口１１が開閉部材５０により閉鎖されているため、埃が吸気口１１を通過することを抑制することができる。その結果、筐体１０の外部から内部へ埃が流入することを抑制することができる。
【００９０】
（２）開閉部材５０に係止部材４０が固定されている。このため、係止部材４０の移動に伴って吸気口１１が機械的に開閉される。なお、上記実施形態においては、固定部材３３を用いて係止部材４０が開閉部材５０に固定されている。
【００９１】
（３）エアフィルタ３１は枠部材３２に設けられ、係止部材４０は、枠部材３２に当接してエアフィルタ３１を係止する係止部４２を有し、係止部４２が枠部材３２を筐体１０に対して密着させる。このため、エアフィルタ３１が設けられた枠部材３２と、吸気口１１が設けられた壁体である筐体１０との間に隙間が形成されないようにして、埃が吸気口１１を通過しないようにすることができる。
【００９２】
（４）吸気口１１が設けられた壁体である筐体１０には、係止部材４０の一部である延設部４１が差し込まれるとともに、係止部材４０の移動を許容する貫通孔１２が形成されている。このため、筐体１０の一方側に設けられた開閉部材５０に係止部材４０が固定される場合であっても、筐体１０に形成された貫通孔１２に係止部材４０の一部である延設部４１を挿通させて、筐体１０の他方側に係止部４２を設けることができる。
【００９３】
（５）開閉部材５０は、貫通孔１２を閉鎖する閉鎖部５２を有し、閉鎖部５２は、エアフィルタ３１を係止する位置に係止部材４０が設けられた状態と、エアフィルタ３１が吸気口１１から取り外されることを許容する位置に係止部材４０が設けられた状態の双方の状態において、貫通孔１２を閉鎖する。このため、埃が、係止部材４０の一部が挿通される貫通孔１２を通過することを抑制することができる。
【００９４】
（６）開閉部材５０が有する閉鎖部５２が、筐体１０に対して密着させられる。このため、貫通孔１２が形成された壁体である筐体１０と開閉部材５０との間に隙間が形成されないようにして、埃が貫通孔１２を通過しないようにすることができる。
【００９５】
（７）エアフィルタ装置３は、開閉部材５０の位置を検出する位置検出部３４を備える。このため、検出された開閉部材５０の位置を、エアフィルタ装置３が内蔵された電子機器であるプロジェクタ１の制御に利用することが可能である。
【００９６】
（８）電子機器であるプロジェクタ１は、上記構成を有するエアフィルタ装置３を備えている。このため、プロジェクタ１により上記（１）〜（７）に記載の効果を得ることができる。
【００９７】
（９）プロジェクタ１は、吸気口１１の態様に係る情報を報知する報知部７６を備えている。このため、報知部７６による報知に基づいて、吸気口１１が開放されているか否かをユーザが把握することができる。
【００９８】
（１０）報知部７６は、エアフィルタ３１が吸気口１１から取り外されることを許容する位置に係止部材４０が設けられているときに、開閉部材５０が吸気口１１を閉鎖している旨を報知する。このため、係止部材４０がエアフィルタ３１を係止する位置に移動されておらず、開閉部材５０が吸気口１１を閉鎖している旨がユーザに積極的に報知される。
【００９９】
（１１）投写型映像表示装置であるプロジェクタ１は、エアフィルタ装置３と、映像表示用のランプ６１と、吸気口１１の態様に基づいてランプ６１の点灯を制御する制御部７３とを備えている。従って、吸気口１１の態様に基づいてランプ６１の点灯が制御されるため、吸気口１１が閉鎖されている場合には、ランプ６１を点灯させないように制御することが可能となる。
【０１００】
（１２）制御部７３は、開閉部材５０の位置に基づいて吸気口１１の態様を判断する。このため、開閉部材５０の位置を検出するとともに、検出された開閉部材５０の位置に基づいて、ランプ６１の点灯が制御される。
【０１０１】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【０１０２】
・吸気口１１の個数、配置、形状等を変更してもよい。また、筐体１０及び枠部材３２及び係止部材４０及び開閉部材５０を形成する材料や、筐体１０及び枠部材３２及び係止部材４０及び開閉部材５０の形状等を適宜変更してもよい。
【０１０３】
・吸気口１１が設けられる壁体である筐体１０は、複数の壁体により構成されていてもよい。即ち、例えば、吸気口１１が設けられる壁体と下側壁体１０ａと上側壁体１０ｂとが、それぞれ分離可能な別個の壁体であってもよい。筐体１０の成形容易性やエアフィルタ装置３の組立容易性等の観点からは、吸気口１１が設けられる壁体と下側壁体１０ａと上側壁体１０ｂとは別個の壁体であることが好ましい。
【０１０４】
・上記実施形態においては、係止部４２が左右方向における枠部材３２の両端に当接することにより、エアフィルタ３１が係止されていたが、左右方向における枠部材３２の一端のみに係止部４２が当接するように構成してもよい。即ち、１つの係止部材４０を用いてエアフィルタ３１を係止するように構成してもよい。
【０１０５】
・係合部５３が一対の突出片により構成されていなくてもよい。即ち、係合部５３が案内部１５と係合することにより、案内部１５によって開閉部材５０の移動が案内されるのであれば、係合部５３の形状を適宜変更してもよい。
【０１０６】
・案内部１４及び案内部１５のうち一方が設けられていなくてもよい。また、案内部１４が１つでもよい。また、案内部１５の個数を適宜変更してもよい。さらに、案内部１４，１５の形状を適宜変更してもよい。
【０１０７】
・上記実施形態においては、位置検出部３４を用いて、開閉部材５０の位置に基づいて吸気口１１の態様が判断されたが、位置検出部３４を用いずに、吸気口１１が開放されているか否かが判断されてもよい。
【０１０８】
・上記実施形態においては、固定部材３３を用いて開閉部材５０に係止部材４０が固定されていたが、開閉部材５０と係止部材４０とが互いに固定されるのであれば、固定部材３３を用いなくてもよい。即ち、開閉部材５０と係止部材４０との固定手段は限定されるものではない。
【０１０９】
・上記実施形態においては、開閉部材５０に係止部材４０が固定されていなくてもよい。即ち、係止部材４０の移動に伴って開閉部材５０が吸気口１１を開閉できればよく、例えば、歯車等の機械的要素や電子制御を利用して、係止部材４０の移動に応じて、開閉部材５０が吸気口１１を開閉するように構成してもよい。
【０１１０】
・上記実施形態においては、エアフィルタ装置３を備える電子機器は、投写型映像表示装置であるプロジェクタ１であったが、その他の電子機器が上記構成を備えていてもよい。即ち、本発明は投写型映像表示装置の適用に限定されるものではなく、テレビ受信機やオーディオ機器等のその他の電子機器についても本発明を適用することが可能である。
【符号の説明】
【０１１１】
１…プロジェクタ（投写型映像表示装置、電子機器）、３…エアフィルタ装置、１０…筐体（壁体）、１０ａ…下側壁体、１０ｂ…上側壁体、１１…吸気口、１１ａ…吸気口形成面、１２…貫通孔、１３…突出部、１４，１５…案内部、２０…カバー、２１…通風孔、３１…エアフィルタ、３２…枠部材、３２ａ…凹部、３３…固定部材、３４…位置検出部、４０…係止部材、４１…延設部、４２…係止部、５０…開閉部材、５１…開閉部、５２…閉鎖部、５３…係合部、６１…ランプ、６２…映像生成部、６３…投射レンズ、６４…映像信号入力部、６５…映像信号処理部、６６…吸気ファン、６７…温度検出部、７１…ランプ電源部、７２…電源部、７３…制御部、７４…記憶部、７５…操作部、７６…報知部。
【図１】
2012044002.tif 000003
【図２】
2012044002.tif 000004
【図３】
2012044002.tif 000005
【図４】
2012044002.tif 000006
【図５】
2012044002.tif 000007
【図６】
2012044002.tif 000008
【図７】
2012044002.tif 000009
【図８】
2012044002.tif 000010
【図９】
2012044002.tif 000011
【図１０】
2012044002.tif 000012